(57)【特許請求の範囲】
【請求項１】
ハウジングと切断刃アセンブリを備えたヘッド部とを有する毛髪をトリミングする装置であって、前記ヘッド部は前記ハウジングに回転可能に取り付けられ、櫛付属具を当該装置に前記切断刃アセンブリ上に延在するように着脱可能に取り付けることができ、当該装置は、更に、櫛付属具が当該装置から取り外されている場合に前記ヘッド部が前記ハウジングに対して回転するのを防止されるように前記ヘッド部を前記ハウジングに固定的に係合させる一方、櫛付属具が当該装置に取り付けられている場合に前記ヘッド部が前記ハウジングに対して回転可能となるように前記ヘッド部を前記ハウジングから解放するロック手段を有する装置。
【請求項２】
前記ロック手段が、櫛付属具が当該装置から取り外されている場合に前記ヘッド部が前記ハウジングに対して回転することが防止される係合位置と、櫛付属具が当該装置に取り付けられている場合に前記ヘッド部が前記ハウジングに対して回転可能になる解放位置との間で移動するロック部材を更に有する請求項１に記載の装置。
【請求項３】
櫛付属具が前記ロック部材に作用することにより、該ロック部材が解放位置へと付勢される請求項２に記載の装置。
【請求項４】
前記ロック部材を解放位置から係合位置へと付勢する弾性手段を更に有する請求項２又は請求項３に記載の装置。
【請求項５】
前記ロック部材が前記ハウジング内に取り付けられる請求項２ないし４の何れか一項に記載の装置。
【請求項６】
前記ロック手段がロック突起を更に有し、該ロック突起は、前記ロック部材が係合位置にある場合に該ロック部材が前記ロック突起に当接して前記ヘッド部が前記ハウジングに対して回動することを防止するように、前記ヘッド部と共に回転する請求項５に記載の装置。
【請求項７】
前記ハウジング内に配置されて前記切断刃アセンブリを駆動するモータアセンブリを更に有し、該モータアセンブリは前記ヘッド部と共に回転し、前記ロック突起が該モータアセンブリから延びる請求項６に記載の装置。
【請求項８】
前記ロック突起は前記モータアセンブリの回転軸からは半径方向に延在し、前記ロック部材は前記回転軸に平行な軸に沿って移動する請求項６又は請求項７に記載の装置。
【請求項９】
前記ロック部材が前記ヘッド部に取り付けられる請求項２ないし４の何れか一項に記載の装置。
【請求項１０】
前記ロック部材はスロットを更に有し、前記ロック手段はロックピンを更に有し、該ロックピンは、前記ヘッド部を前記ハウジングに対して固定すると共に該ハウジングに対して回転するのを防止するために前記スロット内に位置させることが可能である請求項９に記載の装置。
【請求項１１】
前記ロックピンが前記ハウジング上に配設される請求項１０に記載の装置。
【請求項１２】
前記ロック部材は弓状面を更に有し、前記ロックピンは前記ロック部材が係合位置へと付勢される場合に該弓状面に沿ってスライドする請求項１０又は請求項１１に記載の装置。
【請求項１３】
前記ロック部材のアームが前記ヘッド部の開口を介して延在し、櫛付属具は該アームに当接して前記ロック部材を付勢する請求項９ないし１２の何れか一項に記載の装置。
【請求項１４】
前記ヘッド部に着脱可能に取り付けられる櫛付属具を更に有する請求項１ないし１３の何れか一項に記載の装置。
【請求項１５】
前記櫛付属具が、前記ロック部材に作用して該ロック部材を解放位置に付勢する付勢突起を有する請求項１４に記載の装置。
【発明の詳細な説明】
【技術分野】
【０００１】
本発明は、毛髪をトリミングする（刈り込む）装置に関する。特に、本発明は、ハウジングを含む毛髪をトリミングする装置であって、このハウジングが該ハウジングに回転可能に取り付けられるヘッド部を備えるような装置に関する。
【背景技術】
【０００２】
電気毛髪切断機器は広く知られており、主供給電源又は電池により給電されるかに拘わらず、トリマ、クリッパ及びシェーバを含む。このような装置は、一般的に、人が良好に身づくろいされた容姿となるように体毛、特には顔及び頭部の毛髪をトリミングするために使用される。
【０００３】
通常、毛髪を切断する従来の装置は、前部又は切断端と反対側のハンドル端とを備えた長尺ハウジングを形成するような本体を有している。切断刃アセンブリは上記切断端に配置されると共に、可動刃エレメントを備えた静止刃エレメントを含み、該可動刃エレメントは上記静止刃エレメントに対して往復動的に運動する。上記切断刃アセンブリは、上記切断端から延びると共に、本体に対して単一位置で固定され、かくして、切断エレメントの向きは当該装置の本体を向けるユーザにより決定される。
【０００４】
櫛付属具は、通常、毛髪を切断刃アセンブリにより切断されるように位置決めすべく、従来の装置の切断端に取り付けられる。典型的には、斯かる櫛付属具は切断刃アセンブリ上にスライドし、切断エレメントを当該毛髪が延びる皮膚の面から離隔させる。このことは、一様な長さの毛髪が切断されることを可能にすると共に、切断されるべき毛髪の長さを変化させるべく異なる寸法の櫛エレメントが取り付けられることを可能にするか又は調整可能な櫛エレメントが取り付けられることを可能にする。
【０００５】
更に、切断刃アセンブリが露出されるように当該櫛付属具を切断端から取り外すことも可能である。このことは、切断アセンブリが、毛髪、特に生え際又はあごひげの外側輪郭の正確なトリミングのために使用されることを可能にする。
【０００６】
しかしながら、このような従来の装置の１つの問題は、ハウジング及び切断刃アセンブリ及び櫛付属具の間の固定的な関係である。切断刃アセンブリ及び櫛付属具は本体に対して固定的に取り付けられるので、ハンドル部を正しい向きに移動させることにより切断刃を正しく位置合わせすることが必要である。従って、ユーザは自身の手及び腕を潜在的にぎこちなく且つ厄介な位置に置かなければならない。更に、ユーザが当該装置を正しく向けない場合、切断刃アセンブリは誤って向けられることになり、その結果、毛髪の切断又はトリミングが不満足なものとなる。自身の毛髪をトリミングしようとするユーザにとり、従来の装置を扱うのは、使用の間に頭部の後部に対する視認性が低く、従って自身を傷付ける又は不均一な毛髪切断となる可能性が非常に高くなる故に、しばしば困難である。
【０００７】
上記事項に鑑みて、切断刃アセンブリ及び櫛付属具が取り付けられる回動可能なヘッド部を備えた毛髪切断装置が考案された。該ヘッド部は、切断刃アセンブリ及び櫛付属具が頭の輪郭と整列することが可能となり、且つ、一層均一な切断を行うように、回動することが可能とされる。更に、櫛付属具が使用の間において幾らかの回転自由度を有し、このことが、該櫛付属具、従って切断刃アセンブリが人の頭の形状に追従することを可能にするので、ユーザが自身の毛髪をトリミングすることが一層容易且つ心地よくなる。
【０００８】
しかしながら、上記の回動可能なヘッド部は、櫛付属具が取り外され場合に毛髪の正確なトリミングを実行することが望まれる場合に不利である。このような状況においては、ヘッド部が本体に対して回動するように傾けられた場合に切断エレメントを正確に位置決めすることが困難であり、従って不規則で望ましくない切断を招き得るという問題が存在する。
【発明の概要】
【発明が解決しようとする課題】
【０００９】
従って、本発明の一つの目的は、上述した問題を実質的に軽減又は克服すると共に、櫛付属具が当該装置から取り外された場合に切断刃装置の正確な位置決めを可能にするような、毛髪を刈り込む装置を提供することである。
【課題を解決するための手段】
【００１０】
本発明によれば、ハウジングと、切断刃アセンブリを備えたヘッド部とを有する毛髪をトリミングする装置であって、前記ヘッド部は前記ハウジングに回転可能に取り付けられ、櫛付属具が当該装置に対して前記切断刃アセンブリ上に延在するように着脱可能に取り付け可能であり、櫛付属具が該装置から取り外された場合に、前記ヘッド部が前記ハウジングに対して回転するのを防止されるように、該ヘッド部を前記ハウジングに固定的に係合させる一方、櫛付属具が当該装置に取り付けられた場合には、前記ヘッド部が前記ハウジングに対して回転可能となるように、該ヘッド部を前記ハウジングから解放するように構成されたロック手段を更に有する装置が提供される。
【００１１】
好ましくは、前記ロック手段は、櫛付属具が当該装置から取り外されている場合に前記ヘッド部が前記ハウジングに対して回転することが防止される係合位置と、櫛付属具が当該装置に取り付けられている場合に前記ヘッド部が前記ハウジングに対して回転可能になる解放位置との間で移動するように構成されたロック部材を更に有する。
【００１２】
前記ロック部材は、櫛付属具が前記ロック部材に作用することにより、解放位置へと付勢され得る。
【００１３】
好ましい実施例において、当該装置は、前記ロック部材を該部材の解放位置から該部材の係合位置へと付勢する弾性手段を更に有する。
【００１４】
前記ロック部材は、前記ハウジング内に取り付けることができる。
【００１５】
好都合には、前記ロック手段はロック突起を更に有し、該ロック突起は、前記ロック部材が係合位置にある場合に該ロック部材が前記ロック突起に当接して前記ヘッド部が前記ハウジングに対して回動することを防止するように、前記ヘッド部と共に回転する。
【００１６】
当該装置は、前記ハウジング内に配置されて前記切断刃アセンブリを駆動するモータアセンブリを更に有することができ、該モータアセンブリは前記ヘッド部と共に回転し、前記ロック突起は該モータアセンブリから延びる。
【００１７】
有利には、前記ロック突起は前記モータアセンブリの回転軸からは半径方向に延在し、前記ロック部材は前記回転軸に平行な軸に沿って移動する。
【００１８】
一実施例において、前記ロック部材は前記ヘッド部に取り付けられる。
【００１９】
好ましくは、前記ロック部材はスロットを更に有し、前記ロック手段はロックピンを更に有し、該ロックピンは、前記ヘッド部を前記ハウジングに対して固定すると共に該ハウジングに対して回転するのを防止するために前記スロット内に位置させることが可能である。
【００２０】
前記ロックピンは、前記ハウジング上に配設することができる。
【００２１】
前記ロック部材は、弓状面を更に有することができ、前記ロックピンは前記ロック部材が係合位置へと付勢される場合に該弓状面に沿ってスライドする。
【００２２】
好都合には、前記ロック部材のアームが前記ヘッド部の開口を介して延在し、櫛付属具は該アームに当接して前記ロック部材を付勢する。
【００２３】
有利には、当該装置は、前記ヘッド部に着脱可能に取り付けられる櫛付属具を更に有する。
【００２４】
好ましくは、前記櫛付属具は、前記ロック部材に作用して該ロック部材を解放位置に付勢する付勢突起を有する。
【図面の簡単な説明】
【００２５】
【図１】図１は、本発明の一実施例による毛髪を刈り込む装置の斜視図を示す。
【図２】図２は、図１に示す装置の斜視図を示し、櫛付属具が取り付けられた状態の中立位置のヘッド部を示している。
【図３】図３は、図２に示す装置の斜視図を示し、ヘッド部及び櫛付属具が本体に対して反時計方向に回転されている。
【図４】図４は、図１に示す装置の裁断斜視図を示し、ヘッド部及び櫛付属具が本体に対して中立位置にある。
【図５】図５は、図４に示す装置の裁断斜視図を示し、ヘッド部及び櫛付属具が本体に対して回転されている。
【図６】図６は、図１に示す装置の断面図である。
【図７】図７は、本発明の一実施例による、図１に示す装置のヘッド部の斜視図を示す。
【図８】図８は、図７に示す装置のヘッド部の下からの平面図を、ハウジングのサブフレーム及びロックピンと共に示し、ロック部材がロックピンとの係合位置で示されている。
【図９】図９は、図８に示す装置のヘッド部の斜視図を示す。
【図１０】図１０は、図７に示す装置のヘッド部の下からの平面図を、ハウジングのサブフレーム、ロックピン及び装着された櫛付属具と共に示し、ロック手段はロックピンから離れた解放位置で示されている。
【図１１】図１１は、図１０に示す装置のヘッド部の下からの斜視図を示す。
【図１２】図１２は、図７に示す装置のヘッド部の下からの平面図を、ハウジングのサブフレーム、ロックピン及び装着された櫛付属具と共に示し、ロック手段はロックピンから離れた解放位置で示され、ヘッド部はハウジングのサブフレームに対して回転されている。
【図１３】図１３は、図１２に示す装置のヘッド部の下からの斜視図を示す。
【図１４】図１４は、本発明の他の実施例による、図１に示す装置の一部の斜視図を示す。
【図１５】図１５は、ロック手段が係合位置にある図１４に示す装置の一部の拡大斜視図を示す。
【図１６】図１６は、ロック手段は係合位置にあるが、櫛付属具が省略されている図１４に示す装置の一部の斜視図を示す。
【図１７】図１７は、ロック手段は係合位置にあるが、櫛付属具が省略されている図１６に示す装置の一部の拡大斜視図を示す。
【図１８】図１８は、図１４に示す装置の一部の斜視図を示し、櫛付属具が装着されて示されている。
【図１９】図１９は、図１８に示す装置の一部の拡大斜視図を示し、櫛付属具が装着されて示されている。
【図２０】図２０は、ロック手段が係合位置にある、図１４に示す装置の一部の他の斜視図を示す。
【図２１】図２１は、櫛付属具が装着され、ロック手段が解放位置にある、図２０に示す装置の一部の他の斜視図を示す。
【発明を実施するための形態】
【００２６】
以下、本発明の好ましい実施例を、添付図面を参照して例示としてのみ説明する。
【００２７】
ここで図面を参照すると、図１ないし図１３には、毛髪をトリミングする装置の第１実施例１であって、切断端部又は前端部４とハンドル端部又は後端部５とを備えた長尺ハウジング３を含む本体２を有する装置１が示されている。本体２の前端部４には開口６が形成される一方、ヘッド部９が本体２から延びると共に該本体に取り付けられている。
【００２８】
長尺ハウジング３の表面７は後端部５から前端部４へ向かって外側にテーパが付けられており、装置１に一層人間工学的な保持位置を形成すると共に審美的外観を改善している。もっとも、他のハウジング構成も考えられることも理解される。上記ハウジング上には、後述するように装置１を操作するための操作ボタン８が設けられている。
【００２９】
切断刃アセンブリ１０は、ヘッド部９に取り付けられ、第１固定刃（図示略）と、該第１固定刃に当接する第２可動刃（図示略）とを有している。各刃（図示略）は当該切断刃アセンブリ１０の切断エッジ１１に一連の歯を有し、これらは互いに重なり合い、かくして、第２可動刃が第１刃に対して直線往復動的に運動する際に、これら歯のエッジは毛髪に係合し切断するような切断面を形成する。このような切断刃アセンブリ１０は通常のものであり、その構成の更なる説明はここでは行わない。尚、本発明は上記切断刃構成に関して説明されるが、当該切断刃アセンブリは、これに限定されるものではなく、回転刃構成等の他の切断刃構成も考えられると理解されるであろう。
【００３０】
図４、５及び７ないし１３を参照すると、ヘッド部９は、切断刃アセンブリ１０が取り付けられたシャーシ１２と、ハウジング３内に延在するエンドカバー１３とを更に有している。シャーシ１２及びエンドカバー１３は、互いに固定されるか、又は一緒に形成される。図４及び５を参照すると、エンドカバー１３はハウジング３内に延在して、該ハウジング３の開口６を覆う一方、シャーシ１２及び該カバー１３を含むヘッド部９は本体２の前端部４に回動可能に取り付けられている。従って、ヘッド部９は、該ヘッド部９の面を介して延びると共に長尺ハウジング３を介して長手方向に延びる長軸の周りに回動可能である。他の例として、ヘッド部９は、長尺ハウジング３に沿って延びる上記長軸に対して或る傾斜角で延びる面上で回動する。切断刃アセンブリ１０の切断エッジ１１は、シャーシ１２から延びて、後に詳述するように、毛髪がトリミングされるのを可能にする。
【００３１】
エンドカバー１３は、ハウジング３における開口６の近傍の内側表面に沿って延在する弓状肩部１４上で支持される。上側唇部（図示略）がエンドカバー１３の周部上に延在し、該エンドカバー１３、従ってヘッド部９をハウジング３に対して回転可能に取り付け、かくして、該ヘッド部９はハウジング３から延在することになる。ハウジング３、シャーシ１２及びエンドカバー１３はモールド成形されたプラスチックから形成されるが、如何なる好適な材料を使用することもできると理解されるであろう。
【００３２】
サブフレーム１５は、ハウジング３内における本体２の前端部４の近傍に固定されると共に、該ハウジング３の開口６に略わたって延在する。切断刃アセンブリ１０を駆動するためにハウジング３内にはモータアセンブリが配置され、該モータアセンブリはモータハウジング１８内に取り付けられた電気モータ１６を有している。該電気モータ１６は、ハウジング３の後端部５の近傍に形成された電気部品空間１７内に配置された電池（図示略）に電気的に接続される。本実施例では電力は電池により供給されているが、電力を例えばハウジング３の後端部５に形成されたコネクタ（図示略）と接続する主電源リード等の代替手段により供給することができるということも考えられると理解されるであろう。
【００３３】
上記モータアセンブリは、ハウジング３内に該アセンブリの一端において回転可能に取り付けられ、かくしてモータハウジング１８及び該モータハウジング１８内に取り付けられたモータ１６は、ハウジング３内において該ハウジング３内を実質的に長手方向に延びる軸の周りに回転可能となる。駆動ロッド１９は上記電気モータ１６から延びると共に、サブフレーム１５を介して切断刃駆動機構まで延在し、該切断刃駆動機構はエンドカバー１３及びシャーシ１２に形成された開口（図８及び９参照）を介して延在して、電気モータ１６の動作出力を切断刃アセンブリ１０に伝達し、該切断刃アセンブリ１０を駆動する。
【００３４】
従って、上記モータアセンブリはヘッド部９に対して、該ヘッド部がハウジング３に対して回転するように強いられた場合、該モータアセンブリも該ヘッド部と共に回転するよう強いられるように、固定的に接続されている。
【００３５】
戻りバネ（図示略）がモータハウジング１８に取り付けられて、該モータハウジング１８を、従って電気モータ１６及びヘッド部９を中立位置へと付勢し、これによりヘッド部９はハウジング３に対して回転されることはない。
【００３６】
櫛付属具２０は、ヘッド部９に釈放可能に取り付けられると共に、ヘッド部９と共に回転可能である。該櫛付属具２０は、毛髪を切断刃アセンブリ１０へと案内し、該切断刃アセンブリ１０の切断縁１１をユーザの頭の表面から離隔させることにより一様な長さの毛髪が切断されることを可能にする。櫛付属具２０は、互いに均一に隔てられた複数の平行なレイル２２を有し、かくして、毛髪はレイル２２の間を切断刃アセンブリ１０の切断縁１１へと案内される。レイル２２は、ヘッド部９に取り付ける支持部２３から延在する。本実施例では、レイル２２の外縁から切断刃アセンブリ１０の切断エッジ１１まのでの距離は、異なる長さの毛髪が切断されることを可能にするために可変である。しかしながら、切断刃アセンブリ１０の切断エッジ１１とレイル２２の外縁との間の距離を変化させるために別の櫛付属具を使用することもできることが理解されよう。上記櫛付属具はモールド成形されたプラスチックから形成されるが、如何なる好適な材料も使用することができることが理解されるであろう。
【００３７】
櫛付属具２０の支持部２３は、レイル２２が延長する一対の外側腕部２４と、該外側腕部２４から延びる長尺の弓状取付部２５とを有している。櫛付属具２０がヘッド部９に取り付けられた場合、弓状取付部２５はハウジング３内へと延びる。ここでは、上記櫛付属具２０はヘッド部９に固定的に取り付けられるものとして説明されるが、他の実施例では該櫛付属具２０は本体２にスライド可能に取り付けられ、かくして、該櫛付属具２０は本体２により保持されるが、該本体２に対して回転可能になるようにすることもできることが理解されよう。
【００３８】
保持手段（図示略）が、上記櫛付属具２０を定位置に保持して、該櫛付属具が脱落するのを防止するが、適切な量の力が印加された場合に該櫛付属具２０が容易に取り外されるのを可能にする。
【００３９】
図７ないし１３を参照すると、本発明の第１実施例によるロック手段３０が図示されている。該ロック手段３０は、ヘッド部９が回転するよう付勢された場合に、該ヘッド部９のハウジング３に対する回転を防止する。該ヘッド部ロック手段３０は、櫛付属具２０がヘッド部９から取り外された場合に該ヘッド部９の回転を防止するように係合される一方、櫛付属具２０がヘッド部９に取り付けられた場合にヘッド部９が回転するように付勢されることによる該ヘッド部９の回転を可能にするために解放（切り離）される。
【００４０】
ヘッド部ロック手段３０は、ロック部材３２と、弾性エレメント３３とを有している。ロック部材３２は、上側及び下側の平坦面と弓状エッジ３７とを備えた中央係合部３４を有している。該中央係合部３４には、弓状エッジ３７の中間点から該中央係合部３４内へと延びる係合スロット３８が形成されている。当該ロック部材の両側縁からは、中央係合部３４により隔てられた平行な付勢アーム３６が延びている。弓状エッジ３７とは反対の側に沿って平らなエッジ３９が延在し、該エッジに向けて前記弾性エレメント３３が位置している。
【００４１】
エンドカバー１３は、端面４０と、該端面４０の周縁から直立すると共に該端面の周囲に沿い延在して凹状領域を形成する外壁４２とを有している。該凹状領域にはエンドカバー１３の外壁４２まで延びる対向する平行なトラック４３が形成される一方、該トラックには前記平行な付勢アーム３６及びロック部材３２の両側縁が位置し、かくして、ロック部材３２は該トラック４３に沿ってスライド可能である。各トラック４３の端部には外壁４２を介して開口４１が形成され、これにより、前記平行な付勢アーム３６は該各開口を介してスライド可能であって、外壁４２の外側表面から延びるようにされる。
【００４２】
弾性エレメント位置決めピン４４が、エンドカバー１３の上記凹状領域内に直立しており、前記弾性エレメント３３は該位置決めピン４４と前記ロック部材３２との間に位置することになる。本実施例では、該弾性エレメント３３は圧縮バネであり、該圧縮バネは上記付勢アーム３６を外壁４２の前記開口を介して当該エンドカバー１３から延びるように付勢する。
【００４３】
ロックピン４５（図８及び９参照）が、前記サブフレーム１５から直立し、エンドカバー１３の前記凹状領域内に延びている。前記ロック部材３２は該ロックピン４５に向かって付勢され、従って、該ロックピン４５は、後述するように、本体２に対するヘッド部９の回転の向きに依存して弓状エッジ３７に当接して位置するか又は前記スロット３８内に位置する。
【００４４】
上記実施例の動作を、以下、図１ないし１３、特に図８ないし１３を参照して説明する。
【００４５】
ユーザは、毛髪を刈り込む当該装置１を長尺ハウジング３により保持し、前記櫛付属具は初期的にはヘッド部９から取り外されている。この状態において、弾性エレメント３３はロック部材３２の平らなエッジ３９を付勢し、該ロック部材３２をエンドカバー１３の外壁４２に向かって付勢する。かくして、付勢アーム３６は、外壁４２の前記開口を介して付勢され、エンドカバー１３から突出する。ヘッド部９は初期的には中立位置にあり、その場合、ヘッド部９は本体２に対して回転されない。該中立位置において、前記櫛付属具がヘッド部９から取り外されている場合（図８及び９参照）、弾性エレメント３３はロック部材３２をロックピン４５に向かって付勢するので、該ロックピン４５はロック部材３２に形成されたスロット３８内に位置する。ハウジング３内に固定的に取り付けられたサブフレーム１５から直立している該ロックピン４５が、ヘッド部９のエンドカバー１３に取り付けられたロック部材３２のスロット３８内に位置されるので、該ヘッド部９はハウジング３に対して固定的に取り付けられることになり、該ハウジング３に対して回転することを防止される。
【００４６】
次いで、櫛付属具２０が、長尺な弓状取付部２５がハウジング３内へとスライドし、且つ、前記レイルが切断刃アセンブリ１０上に延在するようにして、ヘッド部９上にスライド装着される。取付部２５はエンドカバー１３に取り外し可能に装着するものであり、保持機構（図示略）が該櫛付属具２０を定位置に固定的に保持する。本実施例では、当該櫛付属具はエンドカバー１３に対して固定的に装着するが、該櫛付属具２０を、ヘッド部９と一緒に回転するモータハウジング１８等の構成部品に固定的に接続することもできることが理解されよう。また、櫛付属具２０は、レイル２２を切断刃アセンブリ１０に向かって又は該アセンブリから離れるように移動させるように構成された調整機構（図示略）に取り付けることもできる。この構成は、切断刃アセンブリ１０の切断エッジ１１とレイル２２との間の間隔が変化されることを、従ってユーザにより切断されるべき毛髪の長さを変化させることを可能にする。
【００４７】
櫛付属具２０がヘッド部９上にスライド装着される際に、取付部２５の接触面（図示略）は前記付勢アーム３６の傾斜された端面（図示略）に接触する。従って、これら付勢アーム３６の上記端面はエンドカバー１３の外壁４２に向かって付勢され、かくして、前記ロック部材３２は弾性エレメント３３の弾性力に抗して付勢され、ロックピン４５から離れるように付勢される。従って、ロックピン４５はロック部材３２の前記スロットからスライドして外れ、従って、当該ヘッド部が本体２に対して回転するのを防止されるような係合された位置から、ロック部材３２がロックピン４５から離れて維持され、ヘッド部９が本体２に対して回転可能となるような解放位置までスライドする（図１０及び１１参照）。
【００４８】
櫛付属具２０がヘッド部９に取り付けられている間は、ロック部材３２が解放位置に維持されることが理解されよう。次いで、ユーザは操作釦８を使用することにより当該装置１を動作させる。この場合、電力が、電機部品空間１７内に配設された電池等の電源手段により電気モータ１６に供給される。かくして、モータ１６は切断刃アセンブリ１０を通常の態様で駆動し、装置１は毛髪をトリミングするために動作可能となる。
【００４９】
ユーザが切断されるべき毛髪の人頭部に当該装置を当てる際に、ヘッド部９は本体２に対して自由に回動する。何故なら、ヘッド部９は幾らかの回転自由度を有するからである。従って、使用するのが一層容易且つ一層心地よくなる。何故なら、ヘッド部９及び櫛付属具２０は人頭の形状に追従するように回転可能であるからである。ヘッド部９が櫛付属具２０と一緒に回転する際に、モータ１６及びモータハウジング１８も、これらと共に回転する。何故なら、これらはハウジング３内に回転可能に取り付けられ、駆動ロッド１９により物理的に接続されているからである。従って、当該装置の切断効率は維持される。
【００５０】
ユーザが当該装置を人頭部から離した場合、ヘッド部９及び櫛付属具２０は、上記ハウジング内に取り付けられると共にモータハウジング１８（該モータハウジングはヘッド部９に物理的に取り付けられている）に固定的に取り付けられた１以上の戻りバネ（図示略）により前記中立位置に回転して戻る。しかしながら、他の実施例では上記戻りバネをヘッド部９に直接取り付けることもできることが理解されよう。
【００５１】
ユーザが当該装置を毛髪等の外側輪郭を正確に整えるために使用したい場合、ユーザは櫛付属具２０をヘッド部９から取り外す。ユーザが櫛付属具２０を本体２から引っ張ることにより該櫛付属具２０上に引き離し力を生じさせると、該櫛付属具は保持機構（図示略）から釈放され、該櫛付属具はヘッド部９からスライドして外れる。この場合、前記付勢アーム３６は解放されるので、前記弾性エレメント３３がロック部材３２をロックピン４５に向かって付勢する。かくして、ロックピン４５はロック部材３２のスロット３８内に位置することになって該ロック部材３２に係合し、従ってヘッド部９は本体２に対して固定され、回転から防止される。このように、櫛付属具２０がヘッド部９に取り付けられていない場合、毛髪の正確なトリミングを助ける。
【００５２】
ヘッド部９が回転された位置にある間に（図１２及び１３参照）、ユーザが前記櫛付属具を取り外した場合、付勢アーム３６は解放され、ロック部材３２は弾性エレメント３３によりロックピン４５に向かって付勢される。この場合、ロックピン４５はロック部材３２の弓状面３７に当接する。前記戻しバネ（図示略）はヘッド部９を中立位置へと付勢し、ロックピン４５はロック部材３２の弓状面３７に沿ってスライドする。ヘッド部９が本体２に対して回転されない中立位置に該ヘッド部９が位置すると、ロックピン４５は、ロック部材３２をロックピン４５に向かって付勢する弾性エレメント３３の弾性力によりロック部材３２のスロット内にスライドして、該ロック部材と係合する。かくして、ヘッド部９は本体２に対して回動するのを防止される。
【００５３】
次に、毛髪を刈り込む装置の他の実施例を、図１ないし６及び１４ないし２１を参照して説明する。毛髪を刈り込む装置の該実施例の構成は、上記に詳述した実施例に関するものと概ね同一であるので、ここでは詳細な説明は省略し、上記実施例の構成部品と対応する構成部品には同一の符号を付す。
【００５４】
しかしながら、この実施例では、ヘッド部ロック手段５０は当該装置１のハウジング３内に配置される。該ヘッド部ロック手段５０は、ハウジング３内に互いに対角的に対向してスライド可能に取り付けられた２つのロック部材５２と、対応する２つの弾性エレメントとを有している。各ロック部材５２は、直立部５３と、該直立部から延びる横方向ロック部５４とを有している（図１４ないし１７参照）。横方向ロック部５４は弧状接触面５５を有し、後に明らかとなるように、対応するロック突起５６に当接する。
【００５５】
各ロック部材５２はハウジング３に対してスライド可能に取り付けられ、各ロック部材５２は、当該ロック部材に作用して該ロック部材５２を長尺ハウジング３の長さ方向においてヘッド部９に向かって付勢する弾性エレメント（図示略）を有している。本実施例においては、該弾性エレメント（図示略）は圧縮バネであるが、引張バネ等の他の弾性手段も使用することができる。各ロック部材５２は、更に、端面５１を含み、後述するように該端面に対して前記櫛付属具２０が作用する。
【００５６】
一対のロック突起５６はモータハウジング１８から半径方向に延在し、その場合、該ハウジング１８のいずれの側からも１つのロック突起５６が延びる。各ロック突起５６は位置決め面５７を有し、該位置決め面は、対応するロック部材５２の接触面５５に当接する。
【００５７】
櫛付属具２０は、前述した第１実施例に関して説明した櫛付属具と概ね同一であるが、この実施例では、櫛付属具は、該櫛付属具２０の前記取付部２５から半径方向内側に延びる２つの内向きのタブ（図示略）を有している。各内向きタブ（図示略）は、櫛付属具２０がヘッド部９に取り付けられた場合に、ロック部材５２の対応する端面５１に当接し、該ロック部材５２をヘッド部９から離れる方向に付勢する。各タブ（図示略）は、内側のリッジを形成するように周方向に延在している。
【００５８】
以下、上記実施例の動作を図１ないし６及び１４ないし２１を参照して説明する。
【００５９】
毛髪を刈り込む装置１を用いて毛髪をトリミング又は切断するために、ユーザは該装置を長尺ハウジング３により保持するが、前記櫛付属具は最初はヘッド部９から取り外されている。各ロック部材５２は、対応する弾性エレメント（図示略）により各ロック突起５６に向かって付勢されており、該ロック部材の動きは終端止め部（図示略）により制限されている。ヘッド部９は最初は中立位置にあり、かくして、該ヘッド部９は本体２に対して回転されることはない。該中立位置において、前記櫛付属具がヘッド部９から取り外された状態では、各弾性エレメント（図示略）が各ロック部材５２を対応するロック突起５６に向かって付勢しており、従って、各ロック部材５２の接触面５５は、モータハウジング１８から延びる各ロック突起５６の位置決め面５７に当接している。モータハウジング１８は、モータ１６から切断刃アセンブリ１０まで延びる前記駆動部材１９によりヘッド部９に接続されているので、該ヘッド部９は、ハウジング３に固定されることになり、該ハウジング３に対して回転することが防止される。
【００６０】
次いで、毛髪を所望の長さにトリミングするために、ユーザは櫛付属具２０をヘッド部９上にスライド装着するが、この場合、前記長尺の弓状取付部２５はハウジング３内にスライドして入り、前記レイルは切断刃アセンブリ１０上に延在するようになる。上記取付部２５はエンドカバー１３に着脱可能に装着するものであり、保持機構（図示略）が該櫛付属具２０を定位置に固定保持する。本実施例では、当該櫛付属具はエンドカバー１３に対して固定的に装着するが、該櫛付属具２０を、ヘッド部９と一緒に回転するモータハウジング１８等の構成部品に固定的に接続することもできることが理解されよう。また、櫛付属具２０は、レイル２２を切断刃アセンブリ１０に向かって又は該アセンブリから離れるように移動させるように構成された調整機構（図示略）に取り付けることもできる。この構成は、切断刃アセンブリ１０の切断エッジ１１とレイル２２との間の間隔が変化されることを、従ってユーザにより切断されるべき毛髪の長さを変化させることを可能にする。
【００６１】
櫛付属具２０がヘッド部９上にスライド装着される際に、前記取付部２５から延びる内向きのタブ（図示略）が各ロック部材５２の端面５１に当接する。櫛付属具２０が更にスライドされると、これらタブが上記端面５１に向かって作用し、各ロック部材５２を前記弾性エレメント（図示略）の弾性力に抗して当該装置のヘッド部９から遠ざかるように付勢する。従って、ロック部材５２はロック突起５６に対して、当該ヘッド部が本体２に対して回転することから防止される係合位置から、各ロック部材５２の接触面５５が対応するロック突起５６の位置決め面５７から分離される解放位置までスライドする。ロック部材５２及びロック突起５６が互いから一旦分離されると、モータハウジング１８、従って当該ヘッド部は回転することが自由となるので、該解放位置においては、ヘッド部９は本体２に対して回転可能となる。
【００６２】
櫛付属具２０がヘッド部９に一旦固定的に取り付けられた場合、ロック部材５２が解放位置に維持されることが理解されよう。次いで、ユーザは操作釦８を使用することにより当該装置１を動作させる。この場合、電力が、電機部品空間１７内に配設された電池等の電源手段により電気モータ１６に供給される。かくして、モータ１６は切断刃アセンブリ１０を通常の態様で駆動し、装置１は毛髪をトリミングするために動作可能となる。
【００６３】
ユーザが人頭部に当該装置を当てた場合、ヘッド部９は本体２に対して自由に回動する。何故なら、ヘッド部９は幾らかの回転自由度を有するからである。従って、使用するのが一層容易且つ一層心地よくなる。何故なら、ヘッド部９及び櫛付属具２０は人頭の形状に追従するように回転可能であるからである。ヘッド部９が櫛付属具２０と一緒に回転する際に、モータアセンブリも回転する。何故なら、該モータアセンブリはハウジング３内に回転可能に取り付けられ、これらに駆動ロッド１９により物理的に接続されているからである。従って、当該装置の切断効率は維持される。
【００６４】
ヘッド部９が回転する際に、櫛付属具２０も回転する。従って、該櫛付属具の前記タブは、ロック部材５２の端面５１に対してスライドする。しかしながら、これらタブは端面５１からスライドして外れることは防止される。何故なら、これらタブは周方向に延在しているからである。
【００６５】
ユーザが当該装置を人頭部から離した場合、ヘッド部９及び櫛付属具２０は、上記ハウジング内に取り付けられると共にモータハウジング１８（該モータハウジングはヘッド部９に物理的に取り付けられている）に固定的に取り付けられた１以上の戻りバネ（図示略）により前記中立位置に回転して戻る。しかしながら、他の実施例では上記戻りバネをヘッド部９に直接取り付けることもできることが理解されよう。
【００６６】
ユーザが当該装置を毛髪等の外側輪郭を正確に整えるために使用したい場合、ユーザは櫛付属具２０をヘッド部９から取り外す。ユーザが櫛付属具２０を本体２から引っ張ることにより該櫛付属具２０上に引き離し力を生じさせると、該櫛付属具は保持機構（図示略）から釈放され、該櫛付属具はヘッド部９からスライドして外れる。この場合、前記タブ（図示略）はロック部材５２の端面から遠ざかり、前記弾性エレメント（図示略）は、対応する各ロック部材５２をロック突起５６に向かって、解放位置から係合位置へと付勢する。
【００６７】
次いで、各ロック部材５２の接触面５５は、対応するロック突起の位置決め面５７に向かって位置し、該面と当接し、かくして、モータハウジング１８、従ってヘッド部９はハウジングに対して回転することを防止される。このことは、櫛付属具２０がヘッド部９に取り付けられていない場合、毛髪の正確なトリミングを助ける。
【００６８】
ヘッド部９が回転された位置にある間にユーザが上記櫛付属具を取り外した場合、前記タブ（図示略）はロック部材５２の前記端面から遠ざかるようにスライドされ、前記弾性エレメント（図示略）が、対応する各ロック部材５２をロック突起５６に向かって付勢する。この場合、各ロック部材５２の端面５１は、各ロック突起の端面５９に当接する。戻りバネ（図示略）がヘッド部９を前記中立位置へと付勢し、各ロック突起の端面５９は各ロック部材５２の端面５１に対してスライドする。ヘッド部９が、該ヘッド部９が本体２に対して回転されないような上記中立位置に位置するようになると、各ロック突起５６は、対応するロック部材５２の端面５１から離れ、該ロック部材は係合位置へとスライドするように付勢される。かくして、ヘッド部９は、本体２に対して回動することが防止される。
【００６９】
上述したロック手段５０は、モータハウジング１８から延びるロック突起に当接するロック部材５２を有するものであるが、他の実施例では、上記ロック突起はヘッド部９から（例えばエンドカバー１３から）、ロック部材５２が直接ヘッド部９に係合するように延在することも理解されよう。特に、ロック部材５２は、櫛付属具２０がヘッド部９から取り外されることにより前記ヘッド部ロック手段が係合位置にある場合に、前記エンドカバー１３から延びる係合アーム６０（図１４参照）に当接して、本体２に対する該ヘッド部９の回転を防止するようにすることもできる。
【００７０】
この実施例では、ヘッド部ロック手段５０はハウジング３内に互いに対角的に対向して隔てられた２つのロック部材５２を有し、これらロック部材がモータハウジング１８から延びる２つのロック突起に当接するものとしたが、他の実施例では、ロック手段５０が、単一のロック突起又は１対のロック突起に当接して、モータハウジング１８の、従ってヘッド部９のハウジング３に対する回転を防止する単一のロック部材５２を有することも考えられる。
【００７１】
上述した各実施例では、当該装置は人の頭部上の毛髪をトリミング、切断又は刈り込むために使用されるものとしたが、当該装置は、動物上の又は人体の他の部分上の毛髪をトリミング、切断又は刈り込む場合に使用するのにも適している。
【００７２】
尚、本出願では請求項はフィーチャの特定の組み合わせに対して記載されているが、本発明の開示の範囲は、目下何れかの請求項に記載されているものと同一の発明に関するか否かに拘わらず、且つ、親発明と同一の技術的問題の何れか又は全てを軽減しているか否かに拘わらず、ここに明示的若しくは暗示的に開示された如何なる新規なフィーチャ又はフィーチャの如何なる新規な組み合わせ、又はこれらの如何なる一般化されたものをも含むと理解されるべきである。また、出願人は、本出願の又は本出願から派生する何れかの他の出願の審査等の間において新たな請求項が上記のようなフィーチャ及び／又はフィーチャの組み合わせに対して記載されるかも知れないことを付記しておく。
【図１】
0005612118.tif 000002
【図２】
0005612118.tif 000003
【図３】
0005612118.tif 000004
【図４】
0005612118.tif 000005
【図５】
0005612118.tif 000006
【図６】
0005612118.tif 000007
【図７】
0005612118.tif 000008
【図８】
0005612118.tif 000009
【図９】
0005612118.tif 000010
【図１０】
0005612118.tif 000011
【図１１】
0005612118.tif 000012
【図１２】
0005612118.tif 000013
【図１３】
0005612118.tif 000014
【図１４】
0005612118.tif 000015
【図１５】
0005612118.tif 000016
【図１６】
0005612118.tif 000017
【図１７】
0005612118.tif 000018
【図１８】
0005612118.tif 000019
【図１９】
0005612118.tif 000020
【図２０】
0005612118.tif 000021
【図２１】
0005612118.tif 000022